(57)【特許請求の範囲】
【請求項１】
画像を表示する表示部と、
前記表示部により表示された前記画像の光が一方の面側から入射されるとともに、入射された前記画像の光を他方の面側の空中にて光学像を結像させる結像部と、
前記光学像の近傍に位置する指示体を検出する検出部と、
前記検出部による前記指示体の検出に基づいて、前記光学像を結像させる位置を移動させること、または、前記光学像の大きさを変化させることのうちの少なくとも一方を行うように構成されている制御部とを備え、
前記制御部は、前記光学像の変化に対応させて、前記検出部による前記指示体の検出可能な位置を変更する制御を行う、画像表示装置。
【請求項２】
前記制御部は、前記指示体の特定の動きに基づいて、前記表示部および前記結像部のうちの少なくとも一方を移動させることにより、前記光学像を結像させる位置を移動させる制御を行う、請求項１に記載の画像表示装置。
【請求項３】
前記制御部は、前記指示体としてのユーザの手指の動きの方向に基づいて、前記光学像を結像させる位置を、前記指示体としてのユーザの手指の動きの方向と略同一の方向に向かって移動させる制御を行う、請求項１または２に記載の画像表示装置。
【請求項４】
画像を表示する画像源表示部と、
前記画像源表示部により表示された前記画像の光が一方の面側から入射されるとともに、入射された前記画像の光を他方の面側の空中に前記画像に対応する光学像を結像させる結像部と、
前記光学像の近傍に位置する指示体を検出する指示体検出部と、
前記指示体検出部により前記指示体の特定の動きが検出されたことに基づいて、前記光学像を結像させる位置を移動させること、または、前記光学像の大きさを変化させることのうちの少なくとも一方を行うように構成されている制御部とを備え、
前記指示体検出部は、前記指示体としてのユーザの手指が前記光学像をタッチするタッチ面積と、前記指示体としてのユーザの手指が前記光学像を同時にタッチするタッチ位置の数とのうちの少なくとも一方の情報を含むタッチ検出情報を取得することが可能に構成されており、
前記制御部は、前記タッチ検出情報を取得する通常モードにおいて、所定のタッチ面積以上の前記タッチ面積を取得した場合、または、所定の数以上の前記タッチ位置の数を取得した場合のうちの少なくとも一方の場合に、前記通常モードから、前記指示体検出部から前記指示体の特定の動きを取得するキャリブレーションモードに移行して、前記キャリブレーションモードにおいて、前記指示体の特定の動きに基づいて、前記光学像を結像させる位置を移動させること、または、前記光学像の大きさを変化させることのうちの少なくとも一方を行うように構成されており、
前記制御部は、前記通常モードから前記キャリブレーションモードに移行する際に、前記指示体検出部が前記指示体としてのユーザの手指を検出する領域を、前記光学像が結像される平面に垂直な方向に向かって大きくする制御を行うように構成されている、画像表示装置。
【請求項５】
前記制御部は、前記通常モードから前記キャリブレーションモードに移行する際に、前記キャリブレーションモードにおけるユーザに操作方法を示すための画像を前記画像源表示部に表示させる制御を行うように構成されている、請求項４に記載の画像表示装置。
【請求項６】
前記タッチ検出情報は、前記指示体としてのユーザの手指が前記光学像をタッチするタッチ座標をさらに含み、
前記制御部は、前記通常モードにおいて、前記タッチ座標に基づいた入力操作情報を取得するように構成されており、前記通常モードから前記キャリブレーションモードに移行した後、前記キャリブレーションモードにおいて、前記入力操作情報を取得しないで、前記指示体の特定の動きを取得するように構成されている、請求項５に記載の画像表示装置。
【請求項７】
画像を表示する画像源表示部と、
前記画像源表示部により表示された前記画像の光が一方の面側から入射されるとともに、入射された前記画像の光を他方の面側の空中に前記画像に対応する光学像を結像させる結像部と、
前記光学像の近傍に位置する指示体を検出する指示体検出部と、
前記指示体検出部により前記指示体の特定の動きが検出されたことに基づいて、前記光学像を結像させる位置を移動させること、または、前記光学像の大きさを変化させることのうちの少なくとも一方を行うように構成されている制御部とを備え、
前記指示体検出部は、前記指示体に光を照射するとともに、前記指示体により反射された光を受光することにより、前記指示体が前記光学像の近傍に位置することを検出するように構成されており、
前記制御部は、前記光学像を結像させる位置を移動させること、または、前記光学像の大きさを変化させることのうちの少なくとも一方を行う際に、前記指示体検出部が照射する光の方向と、前記指示体検出部が前記反射された光を受光する方向とのうちの少なくとも一方を、前記光学像を結像させる位置の変化、または、前記光学像の大きさの変化に対応させて、変更する制御を行うように構成されている、画像表示装置。
【発明の詳細な説明】
【技術分野】
【０００１】
この発明は、画像表示装置に関し、特に、指示体を検出することが可能に構成された指示体検出部を備えた画像表示装置に関する。
【背景技術】
【０００２】
従来、ユーザの指などの指示体を検出することが可能に構成された指示体検出部を備えた画像表示装置が知られている（たとえば、特許文献１参照）。
【０００３】
上記特許文献１には、指示体（ユーザの指）の３次元位置情報を取得する撮像素子を備えた医療機器が開示されている。この医療機器には、操作パネルが固定的に設けられている。また、操作パネルは、液晶画面と撮像素子とを含む。撮像素子は、液晶画面を視認しながらこの医療機器を操作するユーザの指を撮像して、ユーザの指の３次元位置情報を取得するように構成されている。そして、この医療機器は、ユーザの指の３次元位置情報に基づいて、操作パネルに対する入力操作内容を確認するように構成されている。
【０００４】
また、従来、画像源表示部（液晶画面）からの画像の光を一方の面側から入射されるとともに、入射された画像の光を他方の面側の空中に光学像として結像させる結像部を備える画像表示装置が知られている。この場合、空中に結像された光学像が、ユーザの指が操作する仮想的な操作パネル（仮想タッチ面）として用いられる。
【先行技術文献】
【特許文献】
【０００５】
【特許文献１】特開２０１０―１２１５８号公報
【発明の概要】
【発明が解決しようとする課題】
【０００６】
しかしながら、上記の画像表示装置は、ユーザのタッチ操作を検出部により検出することが可能である一方、一般的に、空間に結像される光学像は、視認範囲が狭いので、光学像が固定的に設けられている場合、ユーザの身長（目の位置）によっては、光学像全体を良好に視認することが困難になる場合があるという問題点がある。
【０００７】
この発明は、上記のような課題を解決するためになされたものであり、この発明の１つの目的は、ユーザの身長（目の位置）に関わらず、ユーザに光学像全体を良好に視認させることが可能な画像表示装置を提供することである。
【課題を解決するための手段】
【０００８】
上記目的を達成するために、この発明の第１の局面による画像表示装置は、画像を表示する表示部と、表示部により表示された画像の光が一方の面側から入射されるとともに、入射された画像の光を他方の面側の空中にて光学像を結像させる結像部と、光学像の近傍に位置する指示体を検出する検出部と、検出部による指示体の検出に基づいて、光学像を結像させる位置を移動させること、または、光学像の大きさを変化させることのうちの少なくとも一方を行うように構成されている制御部とを備え、制御部は、光学像の変化に対応させて、検出部による指示体の検出可能な位置を変更する制御を行う。
【０００９】
この発明の第１の局面による画像表示装置では、上記のように、制御部を、検出部により指示体の特定の動きが検出されたことに基づいて、光学像を結像させる位置を移動させること、または、光学像の大きさを変化させることのうちの少なくとも一方を行うように構成する。また、制御部は、光学像の変化に対応させて、検出部による指示体の検出可能な位置を変更する制御を行う。これにより、ユーザによる指示体（ユーザの手指など）の特定の動きに応じて、光学像を結像させる位置をユーザが光学像全体を視認しやすい位置に移動させること、または、光学像の大きさをユーザが光学像全体を視認しやすい大きさに変化させることができる。その結果、ユーザの身長（目の位置）に関わらず、ユーザに光学像全体を良好に視認させることができる。
【００１０】
上記第１の局面による画像表示装置において、好ましくは、制御部は、指示体の特定の動きに基づいて、表示部および結像部のうちの少なくとも一方を移動させることにより、光学像を結像させる位置を移動させる制御を行う。このように構成すれば、画像表示装置の全体を移動させることなく、光学像の位置を移動させることができるので、画像表示装置（光学像の位置を移動させるための機構部）が大型化するのを抑制することができる。
【００１２】
この発明の第２の局面による画像表示装置は、画像を表示する画像源表示部と、画像源表示部により表示された画像の光が一方の面側から入射されるとともに、入射された画像の光を他方の面側の空中に画像に対応する光学像を結像させる結像部と、光学像の近傍に位置する指示体を検出する指示体検出部と、指示体検出部により指示体の特定の動きが検出されたことに基づいて、光学像を結像させる位置を移動させること、または、光学像の大きさを変化させることのうちの少なくとも一方を行うように構成されている制御部とを備え、指示体検出部は、指示体としてのユーザの手指が光学像をタッチするタッチ面積と、指示体としてのユーザの手指が光学像を同時にタッチするタッチ位置の数とのうちの少なくとも一方の情報を含むタッチ検出情報を取得することが可能に構成されており、制御部は、タッチ検出情報を取得する通常モードにおいて、所定のタッチ面積以上のタッチ面積を取得した場合、または、所定の数以上のタッチ位置の数を取得した場合のうちの少なくとも一方の場合に、通常モードから、指示体検出部から指示体の特定の動きを取得するキャリブレーションモードに移行して、キャリブレーションモードにおいて、指示体の特定の動きに基づいて、光学像を結像させる位置を移動させること、または、光学像の大きさを変化させることのうちの少なくとも一方を行うように構成されており、制御部は、通常モードからキャリブレーションモードに移行する際に、指示体検出部が指示体としてのユーザの手指を検出する領域を、光学像が結像される平面に垂直な方向に向かって大きくする制御を行うように構成されている。このように構成すれば、光学像が結像される平面に垂直な方向に向かって動く指示体としてのユーザの手指（たとえば、ユーザが光学像を押すまたは引く動作や、ユーザが光学像を倒す（回動させる）動作など）を検出することができる。
【００１３】
この場合、好ましくは、制御部は、通常モードからキャリブレーションモードに移行する際に、キャリブレーションモードにおけるユーザに操作方法を示すための画像を画像源表示部に表示させる制御を行うように構成されている。このように構成すれば、キャリブレーションモードにおけるユーザに操作方法を示すための画像が光学像として結像されるので、ユーザに操作方法を示すための画像を視認させることができる。
【００１４】
上記通常モードからキャリブレーションモードに移行する制御を行う制御部を備える画像表示装置において、好ましくは、タッチ検出情報は、指示体としてのユーザの手指が光学像をタッチするタッチ座標をさらに含み、制御部は、通常モードにおいて、タッチ座標に基づいた入力操作情報を取得するように構成されており、通常モードからキャリブレーションモードに移行した後、キャリブレーションモードにおいて、入力操作情報を取得しないで、指示体の特定の動きを取得するように構成されている。このように構成すれば、キャリブレーションモードでは、入力操作情報を取得しないので、指示体の特定の動きを取得する最中に、誤って指示体としてのユーザの手指により光学像がタッチされた場合でも、入力操作情報に基づいた誤動作が行われるのを抑制することができる。
【００１５】
上記第１の局面による画像表示装置において、好ましくは、制御部は、指示体としてのユーザの手指の動きの方向に基づいて、光学像を結像させる位置を、指示体としてのユーザの手指の動きの方向と略同一の方向に向かって移動させる制御を行うように構成されている。このように構成すれば、ユーザの意図する方向に、光学像を結像させる位置を移動させることができる。
【００１６】
この発明の第３の局面による画像表示装置は、画像を表示する画像源表示部と、画像源表示部により表示された画像の光が一方の面側から入射されるとともに、入射された画像の光を他方の面側の空中に画像に対応する光学像を結像させる結像部と、光学像の近傍に位置する指示体を検出する指示体検出部と、指示体検出部により指示体の特定の動きが検出されたことに基づいて、光学像を結像させる位置を移動させること、または、光学像の大きさを変化させることのうちの少なくとも一方を行うように構成されている制御部とを備え、指示体検出部は、指示体に光を照射するとともに、指示体により反射された光を受光することにより、指示体が光学像の近傍に位置することを検出するように構成されており、制御部は、光学像を結像させる位置を移動させること、または、光学像の大きさを変化させることのうちの少なくとも一方を行う際に、指示体検出部が照射する光の方向と、指示体検出部が反射された光を受光する方向とのうちの少なくとも一方を、光学像を結像させる位置の変化、または、光学像の大きさの変化に対応させて、変更する制御を行うように構成されている。これにより、光学像を結像させる位置が移動されたことに起因して、光学像を結像させる位置と、指示体検出部が指示体を検出する位置とがずれるのを抑制することができる。
【発明の効果】
【００１７】
本発明によれば、上記のように、ユーザの身長（目の位置）に関わらず、ユーザに光学像全体を良好に視認させることができる。
【図面の簡単な説明】
【００１８】
【図１】本発明の第１実施形態による画像表示装置の全体構成を示した断面図である。
【図２】本発明の第１実施形態による画像表示装置の全体構成を示したブロック図である。
【図３】本発明の第１実施形態による画像表示装置の一部の構成を示した拡大断面図である。
【図４】本発明の第１実施形態による受光部の構成を示した断面図である。
【図５】本発明の第１実施形態による通常モードにおけるユーザの手指の検出を説明するための図（１）である。
【図６】本発明の第１実施形態による通常モードにおけるユーザの手指の検出を説明するための図（２）である。
【図７】本発明の第１実施形態による通常モードからキャリブレーションモードへの移行を説明するための図（１）である。
【図８】本発明の第１実施形態による通常モードからキャリブレーションモードへの移行を説明するための図（２）である。
【図９】本発明の第１実施形態によるユーザの手指の特定の動きを説明するための図である。
【図１０】本発明の第１実施形態による光学像が結像される位置の上下移動を説明するための図である。
【図１１】本発明の第１実施形態による光学像が結像される位置の回動を説明するための図である。
【図１２】本発明の第１実施形態による光学像の大きさの変更を説明するための図である。
【図１３】本発明の第１実施形態による検出部の検出方向の変更を説明するための図（１）である。
【図１４】本発明の第１実施形態による検出部の検出方向の変更を説明するための図（２）である。
【図１５】本発明の第１実施形態によるキャリブレーションモード移行処理を説明するためのフローチャートである。
【図１６】本発明の第１実施形態によるキャリブレーションモードに移行するためのタッチ検出情報の取得処理を説明するためのフローチャートである。
【図１７】本発明の第２実施形態による通常モードからキャリブレーションモードへの移行を説明するための図（１）である。
【図１８】本発明の第２実施形態による通常モードからキャリブレーションモードへの移行を説明するための図（２）である。
【図１９】本発明の第２実施形態によるキャリブレーションモードに移行するためのタッチ検出情報の取得処理を説明するためのフローチャートである。
【図２０】本発明の第３実施形態によるユーザに操作方法を示すための画像の表示を説明するための図である。
【発明を実施するための形態】
【００１９】
以下、本発明の実施形態を図面に基づいて説明する。
【００２０】
（第１実施形態）
図１〜図１４を参照して、本発明の第１実施形態による画像表示装置１００の構成について説明する。
【００２１】
本発明の第１実施形態による画像表示装置１００では、図１に示すように、画像表示装置本体１は、地面（床など）に設置されている。
【００２２】
また、画像表示装置１００には、表示ユニット２が設けられている。表示ユニット２は、表示ユニット筐体部２１と、回動機構部２２と、上下機構部２３とを含む。表示ユニット筐体部２１は、画像表示装置本体１の内部に配置されている。また、回動機構部２２は、表示ユニット筐体部２１に取付けられており、後述する反射素子集合基板３を回動可能に構成されている。また、上下機構部２３は、画像表示装置本体１に取付けられており、表示ユニット筐体部２１を上下移動させることが可能に構成されている。
【００２３】
また、画像表示装置１００には、反射素子集合基板３が設けられている。反射素子集合基板３は、平板形状に形成されている。また、反射素子集合基板３は、表示ユニット筐体部２１の上方側（矢印Ｚ１方向側）に配置されているとともに、表示ユニット筐体部２１の矢印Ｙ１方向側において、回動機構部２２に取付けられている。なお、反射素子集合基板３は、本発明の「結像部」の一例である。
【００２４】
また、画像表示装置１００には、画像源表示部４が設けられている。画像源表示部４には、液晶パネル４１と液晶パネル固定部４２とが設けられている。液晶パネル４１は、反射素子集合基板３の下側（矢印Ｚ２方向側）に配置されており、反射素子集合基板３に対して、傾斜角Ａを有するように配置されている。そして、液晶パネル４１は、画像を表示するように構成されており、反射素子集合基板３の下面３１に向かって、画像の光を照射するように配置されている。また、液晶パネル固定部４２は、液晶パネル４１を支持するとともに、表示ユニット筐体部２１に取り付けられている。なお、下面３１は、本発明の「一方の面」の一例である。
【００２５】
また、画像表示装置１００には、検出部５が設けられている。検出部５は、表示ユニット筐体部２１の上方側（矢印Ｚ１方向側）で、かつ、ユーザ側（矢印Ｙ１方向側）に配置されている。なお、検出部５は、本発明の「指示体検出部」の一例である。
【００２６】
また、画像表示装置１００には、制御部６が設けられている。制御部６は、画像表示装置本体１の内部に配置されている。
【００２７】
ここで、第１実施形態では、図１に示すように、反射素子集合基板３は、液晶パネル４１により表示された画像の光が下面３１から入射されるとともに、入射された画像の光を上面３２側（矢印Ｚ１方向側）の空中に入射された画像に対応する光学像Ｂとして結像させるように構成されている。なお、上面３２は、本発明の「他方の面」の一例である。
【００２８】
具体的には、反射素子集合基板３は、上面３２から下面３１に向かって貫くように設けられた、複数の貫通孔（図示せず）が形成されており、この複数の貫通孔の内壁面が鏡面として形成されている。そして、反射素子集合基板３では、液晶パネル４１から複数の貫通孔に入射した光が各々の鏡面により反射されて、光の進行方向を変えながら反射素子集合基板３の下面３１側から上面３２側に通過するように構成されている。そして、反射素子集合基板３は、上面３２側から出射した光が反射素子集合基板３に対して、液晶パネル４１の面対称となる位置に、液晶パネル４１の画像に対応する光学像Ｂとして結像するように構成されている。すなわち、反射素子集合基板３は、上面３２側（矢印Ｚ１方向側）に、傾斜角Ａと等しい大きさの傾斜角を有する位置に、光学像Ｂを結像するように構成されている。
【００２９】
ここで、第１実施形態では、図２および図３に示すように、検出部５は、ユーザの手指Ｄに検出光を照射する発光部５１と、ユーザの手指Ｄにより反射された光を受光する受光部５２とを含む。これにより、検出部５は、ユーザの手指Ｄが光学像Ｂの近傍に位置することを検出することが可能に構成されている。
【００３０】
具体的には、図２に示すように、発光部５１には、ミラー制御部５１ａと、ミラードライバ５１ｂと、振動ミラー部５１ｃとが設けられている。ミラー制御部５１ａは、制御部６の指令に基づいて、ミラードライバ５１ｂを動作させるように構成されている。そして、ミラードライバ５１ｂは、ミラー制御部５１ａからの指令に基づいて、振動ミラー部５１ｃに電力を供給するとともに、振動ミラー部５１ｃの駆動を制御するように構成されている。そして、振動ミラー部５１ｃは、後述する光源部５１ｅからのレーザ光（検出光）を反射しながら振動することによって、検出光を走査させるように構成されている。
【００３１】
そして、発光部５１には、矢印Ｚ１方向側に開口部（図示せず）が設けられている。そして、図３に示すように、検出光は、開口部を介して、振動ミラー部５１ｃにより、光学像Ｂが結像される位置に対応する位置を含む領域である検出光の照射領域Ｅに検出光を照射するように構成されている。また、検出光の照射領域Ｅは、開口部から光学像Ｂに向かって、光学像Ｂを含むように、次第に照射される面積が広がるように（放射状に）構成されている。
【００３２】
また、図２に示すように、発光部５１には、ＬＤ（Ｌａｓｅｒ  Ｄｉｏｄｅ）ドライバ５１ｄと、光源部５１ｅとが設けられている。ＬＤドライバ５１ｄは、制御部６からの指令に基づいて、光源部５１ｅに電力を供給するように構成されている。そして、光源部５１ｅは、レーザダイオードなどを含み、ＬＤドライバ５１ｄから電力が供給されることによって、赤外領域の波長を有するレーザ光（検出光）を振動ミラー部５１ｃに照射可能に構成されている。
【００３３】
そして、図４に示すように、受光部５２には、フォトディテクタ５２ａと受光部側駆動部５２ｂと開口部５２ｃとアパーチャ５２ｄとが設けられている。そして、図３に示すように、フォトディテクタ５２ａは、開口部５２ｃを介して、検出光がユーザの手指Ｄにより反射された光（反射光）を受光可能に構成されている。
【００３４】
また、アパーチャ５２ｄは、フォトディテクタ５２ａと開口部５２ｃとの間に配置されており、光を通過させることが可能なスリットを有する。そして、アパーチャ５２ｄは、受光部側駆動部５２ｂによりスリットの幅を変更することが可能に構成されている。これにより、反射光を受光する領域（反射光の受光領域Ｆ）を設定可能に構成されている。そして、通常モードでは、反射光の受光領域Ｆは、開口部５２ｃから光学像Ｂが結像される平面に沿った平面上に形成されるともに、光学像Ｂを含めるように形成されている。なお、通常モードとは、後述するように、制御部６が入力操作情報を取得する制御を行うモードを意味し、キャリブレーションモードとは、制御部６が入力操作情報を取得しないで、ユーザの手指Ｄの特定の動きを取得して、光学像が結像される位置を移動させる、または、光学像の大きさを変化させる制御を行うモードを意味する。
【００３５】
ここで、第１実施形態では、図５および図６に示すように、検出部５は、ユーザの手指Ｄが光学像Ｂをタッチするタッチ検出情報Ｇ１を取得することが可能に構成されている。そして、タッチ検出情報Ｇ１は、タッチ面積と、タッチ位置の数と、タッチ座標との情報を含む。そして、制御部６は、通常モードにおいて、タッチ座標に基づいた入力操作情報を取得するように構成されている。
【００３６】
たとえば、図５に示すように、フォトディテクタ５２ａは、光学像Ｂがユーザの手指Ｄ（たとえば、人差し指のみ）によりタッチされた場合、反射光を受光して、制御部６に信号を伝達するように構成されている。そして、図６に示すように、制御部６は、検出光を照射している位置と、フォトディテクタ５２ａから信号を取得した時点とに基づいて、光学像Ｂがタッチ操作されたタッチ検出情報Ｇ１を取得することが可能に構成されている。
【００３７】
また、図５に示す例の場合、制御部６は、取得したタッチ検出情報Ｇ１に基づいて、光学像Ｂに表示されている入力操作部表示Ｈがユーザの手指Ｄによりタッチされたと判断する制御を行うように構成されている。そして、制御部６は、入力操作部表示Ｈに対応する入力操作情報を取得する制御を行うように構成されている。
【００３８】
ここで、第１実施形態では、図７および図８に示すように、制御部６は、通常モードにおいて、タッチ面積Ｉ１以上のタッチ面積を取得した場合で、かつ、２点以上のタッチ位置の数を取得した場合で、かつ、タッチ検出位置がそれぞれ間隔Ｊ１以上の場合に、通常モードから、検出部５からユーザの手指Ｄの特定の動きを取得するキャリブレーションモードに移行する制御を行うように構成されている。そして、制御部６は、キャリブレーションモードにおいて、ユーザの手指Ｄの特定の動きに基づいて、光学像Ｂを結像させる位置を移動させること、または、光学像Ｂの大きさを変化させる制御を行うように構成されている。
【００３９】
たとえば、図７に示すように、ユーザの手指Ｄ（両手で、かつ、互いの手を離間させるとともに、それぞれの指を離間させていない状態）が光学像Ｂに触れた場合、図８に示すように、制御部６は、タッチ検出情報Ｇ２およびＧ３を取得するように構成されている。そして、制御部６は、取得したタッチ検出情報Ｇ２およびＧ３に基づいて、タッチ検出情報Ｇ２またはＧ３のタッチ面積がタッチ面積Ｉ１（たとえば、指のサイズ（指の先端部から第１関節までを含む部位の面積程度の大きさ））以上か否か、タッチ位置の数が２点以上か（両手を用いているか）否か、および、タッチ検出情報Ｇ２およびＧ３との間隔が間隔Ｊ１（たとえば、指の間隔程度の大きさ）以上か否かを判断する制御を行うように構成されている。
【００４０】
図７に示す例の場合では、タッチ検出情報Ｇ２またはＧ３のタッチ面積がタッチ面積Ｉ１以上で、かつ、タッチ位置の数が２点以上で、かつ、タッチ検出情報Ｇ２とタッチ検出情報Ｇ３との間隔Ｊ２は間隔Ｊ１以上であるので、制御部６は、通常モードから、キャリブレーションモードに移行させる制御を行うように構成されている。
【００４１】
ここで、第１実施形態では、図４に示すように、制御部６は、通常モードからキャリブレーションモードに移行する際に、検出部５がユーザの手指Ｄを検出する領域（反射光の受光領域Ｆ）を、光学像Ｂが結像される平面に垂直な方向（矢印Ｋ１方向および矢印Ｋ２方向）に向かって大きくする制御を行うように構成されている。具体的には、制御部６は、上記したタッチ検出情報Ｇ２およびＧ３を取得した場合に、受光部５２の受光部側駆動部５２ｂを駆動させることにより、アパーチャ５２ｄのスリット幅を広げる制御を行うように構成されている。これにより、反射光の受光領域Ｆは、矢印Ｋ１方向および矢印Ｋ２方向に、大きくなるように構成されている。その結果、ユーザの手指ＤのＹ方向（ユーザに対して奥または手前方向）の動きを検出することが可能になる。
【００４２】
また、第１実施形態では、制御部６は、通常モードからキャリブレーションモードに移行した後、キャリブレーションモードにおいて、入力操作情報を取得しないで、ユーザの手指Ｄの特定の動きを取得するように構成されている。すなわち、制御部６は、キャリブレーションモードでは、上記した入力操作情報を取得しない制御を行うように構成されている。たとえば、制御部６は、ユーザの手指Ｄの特定の動きを取得する際に、入力操作部表示Ｈ（図５参照）がユーザの手指Ｄなどにタッチされた場合でも、入力操作部表示Ｈの入力操作情報を取得しない制御を行うように構成されている。
【００４３】
そして、第１実施形態では、図９に示すように、ユーザの手指Ｄの特定の動きは、ユーザの手指Ｄの動きの方向の情報を含み、制御部６は、ユーザの手指Ｄの動きの方向と略同一の方向に向かって移動させる制御を行うように構成されている。また、図１０および図１１に示すように、光学像Ｂを結像させる位置は、制御部６により、画像源表示部４および反射素子集合基板３が取り付けられている表示ユニット筐体部２１を上下移動させる、または、反射素子集合基板３を回動させることにより移動されるように構成されている。
【００４４】
たとえば、図９に示すように、制御部６は、ユーザの手指Ｄが矢印Ｌ１方向（上下方向）に動かされた場合（ユーザが光学像Ｂを矢印Ｌ１方向に移動させるように動かした場合）には、図１０に示すように、上下駆動部２５を駆動させて、表示ユニット筐体部２１を上下方向（矢印Ｌ２方向）に移動させる制御を行うように構成されている。また、ユーザの手指Ｄが矢印Ｌ１方向に動かした移動量と、表示ユニット筐体部２１が矢印Ｌ２方向に移動させられる移動量とは、略同じ大きさを有するように構成されている。
【００４５】
具体的には、図１０に示すように、上下機構部２３は、上下歯車２３ａと、表示ユニット歯部２３ｂと、上下機構固定部２３ｃとを含む。そして、上下歯車２３ａは、画像表示装置本体１内部に配置されており、上下駆動部２５が駆動することにより矢印Ｌ３方向に回動するように構成されている。
【００４６】
また、表示ユニット歯部２３ｂは、表示ユニット筐体部２１に取り付けられているとともに、上下歯車２３ａと歯合するように配置されている。これにより、表示ユニット歯部２３ｂは、上下歯車２３ａが矢印Ｌ３方向に回動された場合、矢印Ｌ２方向に上下移動（Ｚ方向の移動を）するように構成されている。
【００４７】
また、上下機構固定部２３ｃは、画像表示装置本体１に取り付けられているとともに、表示ユニット歯部２３ｂを上下移動可能に支持するように構成されている。これにより、表示ユニット筐体部２１と表示ユニット歯部２３ｂとは、画像表示装置本体１に対して、一体的に上下移動することが可能に構成されている。そして、上下駆動部２５は、ユーザの手指Ｄの特定の動きに基づいた制御部６からの指令に基づいて、上下歯車２３ａを回動させるように構成されている。
【００４８】
そして、光学像Ｂが結像される位置は、反射素子集合基板３に対して、液晶パネル４１の面対称となる位置に結像されるように構成されているので、光学像Ｂが結像される位置が矢印Ｌ１方向に移動される。すなわち、ユーザの手指Ｄが矢印Ｌ１方向に動かした移動量と、光学像Ｂが結像される位置が矢印Ｌ１方向に移動させられた移動量とは、略同じ大きさになるように構成されている。
【００４９】
また、図９に示すように、制御部６は、ユーザの手指Ｄが矢印Ｍ１方向に動かされた場合（ユーザが光学像Ｂを矢印Ｍ１方向に移動させるように動かした場合）には、図１１に示すように、回動駆動部２４を駆動させて、反射素子集合基板３を矢印Ｍ２方向に回動させる制御を行うように構成されている。
【００５０】
具体的には、図１１に示すように、回動駆動部２４は、回動機構部２２の近傍に設けられており、制御部６の指令に基づいて、回動機構部２２を矢印Ｍ２方向に回動させるように構成されている。
【００５１】
そして、図９に示すように、回動機構部２２は、回動軸部２２ａと、回動ベース部２２ｂと、第１回動柄部２２ｃと、第２回動柄部２２ｄとを含む。回動ベース部２２ｂは、表示ユニット筐体部２１に取り付けられているとともに、回動軸部２２ａを支持するように設けられている。そして、回動軸部２２ａは、回動駆動部２４により回動軸Ｃを回動中心として、回動されるように構成されているとともに、第１回動柄部２２ｃに接続されている。第１回動柄部２２ｃは、矢印Ｙ２方向側で、第２回動柄部２２ｄに接続されている。そして、第２回動柄部２２ｄは、矢印Ｙ２方向側で、反射素子集合基板３に接続されている。したがって、回動軸部２２ａが、回動駆動部２４により回動されることに伴って、反射素子集合基板３は、矢印Ｍ２方向（図１１参照）に回動するように構成されている。なお、制御部６は、回動駆動部２４を駆動させることにより、反射素子集合基板３を矢印Ｍ２方向に、ユーザの手指Ｄが矢印Ｍ１方向に動いた回動角度の２分の１の回動角度分、回動させる制御を行うように構成されている。
【００５２】
そして、図１１に示すように、光学像Ｂは、反射素子集合基板３に対して、液晶パネル４１の面対称となる位置に結像されるように構成されているので、反射素子集合基板３が矢印Ｍ２方向に回動することによって、矢印Ｍ１方向に反射素子集合基板３の回動角度の２倍分、回動される。すなわち、光学像Ｂが結像される位置は、ユーザの手指Ｄが矢印Ｍ１方向に動いた回動角度分、矢印Ｍ１方向に回動される。
【００５３】
ここで、第１実施形態では、図１２に示すように、検出部５によりユーザの手指Ｄの特定の動きに基づいて、光学像Ｂの大きさを変化させるように構成されている。
【００５４】
具体的には、図９に示すように、制御部６は、ユーザの手指Ｄが矢印Ｎ１方向または矢印Ｎ２方向に動かされた場合（ユーザが光学像Ｂを矢印Ｎ１方向または矢印Ｎ２方向に移動させるように動かした場合）には、図１２に示すように、液晶パネル４１に表示される画像の大きさを変化させることにより、光学像Ｂの大きさを変化させる制御を行うように構成されている。
【００５５】
たとえば、制御部６は、ユーザの手指Ｄが矢印Ｎ１方向に動かされた場合（ユーザが光学像Ｂを矢印Ｎ１方向に移動させるように動かした場合）は、液晶パネル４１に表示される画像の大きさを小さくする（液晶パネル４１の中央近傍に縮小された画像を表示する）制御を行うように構成されている。一方、制御部６は、ユーザの手指Ｄが矢印Ｎ２方向に動かされた場合（ユーザが光学像Ｂを矢印Ｎ２方向に移動させるように動かした場合）は、液晶パネル４１に表示される画像の大きさを大きくする制御を行うように構成されている。これにより、光学像Ｂの大きさは、液晶パネル４１に表示される画像の大きさと略等しい大きさになるので、液晶パネル４１に表示される画像の大きさを変化させることにより、光学像Ｂの大きさを変化させることが可能になる。
【００５６】
ここで、第１実施形態では、図１３に示すように、制御部６は、光学像Ｂを結像させる位置を移動（回動または上下移動）させる際に、発光部５１が照射する光の方向（検出光の照射領域Ｅ）と、受光部５２が反射された光を受光する方向（反射光の受光領域Ｆ）とを、光学像Ｂを結像させる位置に対応する方向に変更する制御を行うように構成されている。
【００５７】
具体的には、制御部６は、ユーザの手指Ｄの特定の動きに基づいて、ミラー制御部５１ａおよびミラードライバ５１ｂを介して、振動ミラー部５１ｃが検出光を照射させる走査範囲を変更する制御を行うように構成されている。これにより、図１３に示すように、制御部６は、光学像Ｂが結像される位置が回動（移動）された位置に対応する領域に、検出光の照射領域Ｅを移動させるように構成されている。
【００５８】
また、制御部６は、ユーザの手指Ｄの特定の動きに基づいて、受光部側駆動部５２ｂを駆動させることにより、アパーチャ５２ｄのスリットの位置（向き）を変更する制御を行うように構成されている。これにより、図１３に示すように、制御部６は、光学像Ｂが結像される位置が回動（移動）された位置に対応する領域に、反射光の受光領域Ｆを移動させるように構成されている。
【００５９】
また、第１実施形態では、図１４に示すように、制御部６は、光学像Ｂの大きさを変化させる際に、発光部５１が照射する光の方向（検出光の照射領域Ｅ）と、受光部５２が反射された光を受光する方向（反射光の受光領域Ｆ）とを、光学像の大きさの変化に対応させて変更する制御を行うように構成されている。
【００６０】
具体的には、上記の光学像Ｂの結像される位置が移動された場合と同様に、制御部６は、ユーザの手指Ｄの特定の動きに基づいて、ミラー制御部５１ａおよびミラードライバ５１ｂを介して、振動ミラー部５１ｃが検出光を照射させる走査範囲を変更する制御を行うように構成されている。これにより、図１４に示すように、制御部６は、光学像Ｂの大きさが変更された領域に対応するように、検出光の照射領域Ｅの大きさ（Ｘ方向およびＹ方向の幅）を変更させる制御を行うように構成されている。
【００６１】
そして、制御部６は、キャリブレーションモードにおいて、検出部５によりユーザの手指Ｄが検出されなくなった場合に、キャリブレーションモードから通常モードに移行させる制御を行うように構成されている。
【００６２】
次に、図１５を参照して、第１実施形態における画像表示装置１００のキャリブレーションモード移行処理フローについて説明する。なお、画像表示装置１００の処理は、制御部６により行われる。
【００６３】
まず、ステップＳ１においては、画像表示装置１００は、通常モードとして処理される。すなわち、図５および図６に示すように、通常モードでは、ユーザの手指Ｄにより光学像Ｂがタッチされた場合、入力操作情報が取得される。その後、ステップＳ２に進む。
【００６４】
そして、ステップＳ２において、キャリブレーションモードに移行するためのタッチ検出情報を取得したか否か（図１６参照）が判断される。キャリブレーションモードに移行するためのタッチ検出情報を取得しない場合、ステップＳ１に戻り、キャリブレーションモードに移行するためのタッチ検出情報を取得した場合、ステップＳ３に進む。
【００６５】
そして、ステップＳ３において、画像表示装置１００は、キャリブレーションモードとして処理される。すなわち、図４に示すように、反射光の受光領域Ｆが大きくされるとともに、ユーザの手指Ｄの特定の動き（図９参照）が取得される。また、ユーザの手指Ｄの特定の動きに基づいて、光学像Ｂが結像される位置の移動（図１０および図１１参照）、または、光学像Ｂの大きさが変更（図１２参照）される。また、光学像Ｂが結像される位置の移動、または、光学像Ｂの大きさが変更された場合には、検出光の照射領域Ｅおよび反射光の受光領域Ｆの方向が変更（図１３および図１４参照）される。その後、ステップＳ４に進む。
【００６６】
そして、ステップＳ４において、検出部５によりユーザの手指Ｄが検出されているか否かが判断される。検出部５によりユーザの手指Ｄが検出されている場合、ステップＳ３に戻り、検出部５によりユーザの手指Ｄが検出されなくなった場合、ステップＳ１（通常モード）に戻る。
【００６７】
次に、図１６を参照して、第１実施形態における画像表示装置１００のキャリブレーションモードに移行するためのタッチ検出情報の取得処理フローについて説明する。なお、画像表示装置１００の処理は、制御部６により行われる。
【００６８】
ステップＳ１は、上記したキャリブレーションモード移行処理フロー（図１５参照）におけるステップＳ１を表す。その後、ステップＳ１１に進む。
【００６９】
そして、ステップＳ１１おいて、検出部５によりユーザの手指Ｄが検出されているか否かが判断される。ユーザの手指Ｄが検出されない場合、ステップＳ１に戻り、ユーザの手指Ｄが検出された場合、ステップＳ１２に進む。
【００７０】
そして、ステップＳ１２において、検出部５により同時に検出されているユーザの手指Ｄのタッチ位置の数が２点以上か否かが判断される。タッチ位置の数が２点未満（１点）の場合、ステップＳ１に戻り、タッチ位置の数が２点以上の場合、ステップＳ１３に進む。
【００７１】
そして、ステップＳ１３において、検出部５により検出されたタッチ位置が指の間隔Ｊ１以上に離れた点があるか否かが判断される。タッチ位置が指の間隔Ｊ１以上に離れた点がない場合、ステップＳ１に戻り、タッチ位置が指の間隔Ｊ１以上に離れた点がある場合、ステップＳ１４に進む。
【００７２】
そして、ステップＳ１４において、検出部５により検出されたタッチ面積がタッチ面積Ｉ１（指のサイズ）以上か否かが判断される。タッチ面積がタッチ面積Ｉ１以上でない場合、ステップＳ１に戻り、タッチ面積がタッチ面積Ｉ１以上の場合、ステップＳ３に進む。そして、ステップＳ３は、上記したキャリブレーションモード移行処理フロー（図１５参照）におけるステップＳ３を表す。
【００７３】
第１実施形態では、以下のような効果を得ることができる。
【００７４】
第１実施形態では、上記のように、制御部６を、検出部５によりユーザの手指Ｄの特定の動きを検出されたことに基づいて、光学像Ｂを結像させる位置を移動させること、または、光学像Ｂの大きさを変化させることのうちの少なくとも一方を行うように構成する。これにより、ユーザの手指Ｄの特定の動きに応じて、光学像Ｂを結像させる位置をユーザが光学像Ｂ全体を視認しやすい位置に移動させること、または、光学像Ｂの大きさをユーザが光学像Ｂ全体を視認しやすい大きさに変化させることができる。その結果、ユーザの身長（目の位置）に関わらず、ユーザに光学像Ｂ全体を良好に視認させることができる。
【００７５】
また、第１実施形態では、上記のように、制御部６を、ユーザの手指Ｄの特定の動きに基づいて、画像源表示部４および反射素子集合基板３のうちの少なくとも一方を移動させることにより、光学像Ｂを結像させる位置を移動させる制御を行うように構成する。これにより、画像表示装置１００の全体を移動させることなく、光学像Ｂの位置を移動させることができるので、画像表示装置１００（光学像Ｂの位置を移動させるための回動機構部２２および上下機構部２３）が大型化するのを抑制することができる。
【００７６】
また、第１実施形態では、上記のように、検出部５を、ユーザの手指Ｄが光学像Ｂをタッチするタッチ面積と、ユーザの手指Ｄが光学像Ｂを同時にタッチするタッチ位置の数とを含むタッチ検出情報を取得することが可能に構成する。これにより、ユーザの手指Ｄのうちの指と手（拳、手のひらなど）とを区別しながら、指示体としてのユーザの手指Ｄからのタッチを受け付けることができる。また、制御部６を、タッチ検出情報を取得する通常モードにおいて、タッチ面積Ｉ１以上のタッチ面積を取得した場合で、かつ、２点以上のタッチ位置の数を取得した場合に、通常モードから、検出部５からユーザの手指Ｄの特定の動きを取得するキャリブレーションモードに移行して、キャリブレーションモードにおいて、ユーザの手指Ｄの特定の動きに基づいて、光学像Ｂを結像させる位置を移動させること、および、光学像Ｂの大きさを変化させることを行うように構成する。これにより、容易に、通常モードからキャリブレーションモードに移行させることができる。
【００７７】
また、第１実施形態では、上記のように、制御部６を、通常モードからキャリブレーションモードに移行する際に、検出部６がユーザの手指Ｄを検出する領域（反射光の受光領域Ｆ）を、光学像Ｂが結像される平面に垂直な方向（図４参照）に向かって大きくする制御を行うように構成する。これにより、光学像Ｂが結像される平面に垂直な方向（矢印Ｎ１方向および矢印Ｎ２方向）に向かって動くユーザの手指Ｄ（たとえば、ユーザが光学像Ｂを押すまたは引く動作や、ユーザが光学像Ｂを倒す（回動させる）動作など）を検出することができる。
【００７８】
また、第１実施形態では、上記のように、検出部５を、タッチ検出情報に加えて、ユーザの手指Ｄが光学像Ｂをタッチするタッチ座標を取得することが可能に構成する。また、制御部６を、通常モードにおいて、タッチ検出情報に加えて、タッチ座標に基づいた入力操作情報を取得するように構成して、通常モードからキャリブレーションモードに移行した後、キャリブレーションモードにおいて、入力操作情報を取得しないで、ユーザの手指Ｄの特定の動きを取得するように構成する。これにより、キャリブレーションモードでは、入力操作情報を取得しないので、ユーザの手指Ｄの特定の動きを取得する最中に、誤ってユーザの手指Ｄにより光学像Ｂがタッチされた場合でも、入力操作情報に基づいた誤動作が行われるのを抑制することができる。
【００７９】
また、第１実施形態では、上記のように、ユーザの手指Ｄの特定の動きは、ユーザの手指の動きの方向の情報を含む。また、制御部６を、光学像Ｂを結像させる位置を、ユーザの手指Ｄの動きの方向と略同一の方向に向かって移動させる制御を行うように構成する。これにより、ユーザの意図する方向に、光学像Ｂを結像させる位置を移動させることができる。
【００８０】
また、第１実施形態では、上記のように、検出部５を、ユーザの手指Ｄに光を照射するとともに、ユーザの手指Ｄにより反射された光を受光することにより、ユーザの手指Ｄが光学像Ｂの近傍に位置することを検出するように構成する。また、制御部６を、光学像Ｂを結像させる位置を移動させる、または、光学像Ｂの大きさを変化させる際に、検出部５が照射する光の方向（検出光の照射領域Ｅ）と、検出部５が反射された光を受光する方向（反射光の受光領域Ｆ）とを、光学像Ｂを結像させる位置の変化、または、光学像Ｂの大きさの変化に対応させて、変更する制御を行うように構成する。これにより、光学像Ｂを結像させる位置が移動されたことに起因して、光学像Ｂを結像させる位置と、検出部５がユーザの手指Ｄを検出する位置とがずれるのを抑制することができる。
【００８１】
（第２実施形態）
次に、図２、図１７および図１８を参照して、第２実施形態による画像表示装置２００の構成について説明する。第２実施形態では、タッチ面積Ｉ１以上のタッチ面積を取得した場合で、かつ、２点以上のタッチ位置の数を取得した場合で、かつ、間隔Ｊ１以上のタッチ位置の間隔を取得した場合に、通常モードからキャリブレーションモードへの移行するように構成されていた第１実施形態による画像表示装置１００と異なり、タッチ面積Ｉ２以上のタッチ面積を取得した場合、または、２点以上のタッチ位置の数を取得した場合に、通常モードからキャリブレーションモードへの移行するように構成されている。
【００８２】
図２に示すように、第２実施形態による画像表示装置２００には、制御部２０６が設けられている。
【００８３】
ここで、第２実施形態では、図１７および図１８に示すように、制御部２０６は、通常モードにおいて、タッチ面積Ｉ２以上のタッチ面積を取得した場合、または、２点以上のタッチ位置の数を取得した場合に、通常モードから、検出部５からユーザの手指Ｄの特定の動きを取得するキャリブレーションモードに移行する制御を行うように構成されている。そして、制御部２０６は、キャリブレーションモードにおいて、ユーザの手指Ｄの特定の動きに基づいて、光学像Ｂを結像させる位置を移動させること、または、光学像Ｂの大きさを変化させる制御を行うように構成されている。
【００８４】
たとえば、図１７に示すように、ユーザの手指Ｄ（片手で、かつ、それぞれの指を離間させた状態）が光学像Ｂに触れた場合、図１８に示すように、制御部２０６は、タッチ検出情報Ｇ１１〜Ｇ１６を取得するように構成されている。そして、制御部２０６は、取得したタッチ検出情報Ｇ１１〜Ｇ１６に基づいて、タッチ検出情報Ｇ１１〜Ｇ１６のうちのいずれかのタッチ面積がタッチ面積Ｉ２（たとえば、第１実施形態によるタッチ面積Ｉ１と同じ大きさ）以上か否か、および、タッチ位置の数が２点以上か否かを判断する制御を行うように構成されている。
【００８５】
図１７に示す例の場合では、タッチ検出情報Ｇ１６のタッチ面積がタッチ面積Ｉ２以上であり、タッチ位置の数が２点以上（６点）であるので、制御部２０６は、通常モードから、キャリブレーションモードに移行させる制御を行うように構成されている。なお、制御部２０６のキャリブレーションモードにおけるユーザの手指Ｄの特定の動きに基づいた処理は、制御部６のキャリブレーションモードにおけるユーザの手指Ｄの特定の動きに基づいた処理（図４、および、図９〜図１４参照）と同様の処理を行うように構成されている。
【００８６】
なお、上記の例では、通常モードからキャリブレーションモードに移行するユーザの手指Ｄの動作方法の例として、ユーザの手指Ｄが、片手で、かつ、それぞれの指を離間させた状態で光学像Ｂをタッチすることにより、制御部２０６は、タッチ面積Ｉ２以上のタッチ面積、および、６点のタッチ位置を取得する例を示したが、通常モードからキャリブレーションモードに移行するユーザの手指Ｄの動作方法は、これに限られない。たとえば、制御部２０６は、ユーザの手指Ｄをそれぞれの指を離間させない状態（拳）にして、光学像Ｂをタッチした場合でも、タッチ面積がタッチ面積Ｉ２以上となれば、通常モードからキャリブレーションモードに移行を行うように構成されている。また、第２実施形態による画像表示装置２００のその他の構成は、第１実施形態における画像表示装置１００と同様である。
【００８７】
次に、図１９を参照して、第２実施形態における画像表示装置２００のキャリブレーションモードに移行するためのタッチ検出情報の取得処理フローについて説明する。なお、画像表示装置２００の処理は、制御部２０６により行われる。
【００８８】
ステップＳ１は、第１実施形態によるキャリブレーションモード移行処理フロー（図１５参照）におけるステップＳ１と同様の処理が行われる。その後、ステップＳ２１に進む。
【００８９】
そして、ステップＳ２１おいて、検出部５によりユーザの手指Ｄが検出されているか否かが判断される。ユーザの手指Ｄが検出されない場合、ステップＳ１に戻り、ユーザの手指Ｄが検出された場合、ステップＳ２２に進む。
【００９０】
そして、ステップＳ２２において、検出部５により同時に検出されているユーザの手指Ｄのタッチ位置の数が２点以上か否かが判断される。タッチ位置の数が２点未満（１点）の場合、ステップＳ２３に進み、タッチ位置の数が２点以上の場合、ステップＳ３に進む。
【００９１】
そして、ステップＳ２３において、検出部５により検出されたタッチ面積がタッチ面積Ｉ２（指のサイズ）以上か否かが判断される。タッチ面積がタッチ面積Ｉ２以上でない場合、ステップＳ１に戻り、タッチ面積がタッチ面積Ｉ２以上の場合、ステップＳ３に進む。そして、ステップＳ３は、第１実施形態によるキャリブレーションモード移行処理フロー（図１５参照）におけるステップＳ３と同様の処理が行われる。
【００９２】
第２実施形態では、以下のような効果を得ることができる。
【００９３】
第２実施形態では、上記のように、制御部２０６を、通常モードにおいて、タッチ面積Ｉ２以上のタッチ面積を取得した場合、または、２点以上のタッチ位置の数を取得した場合に、通常モードから、キャリブレーションモードに移行する制御を行うように構成する。これにより、両手のユーザの手指Ｄを用いる場合と異なり、片手のユーザの手指Ｄのみにより、通常モードからキャリブレーションモードに移行するためのタッチ検出情報を取得することができるので、ユーザの両手を必要しない分、操作性を向上させることができる。また、第２実施形態による画像表示装置２００のその他の効果は、第１実施形態における画像表示装置１００と同様である。
【００９４】
（第３実施形態）
次に、図２および図２０を参照して、第３実施形態による画像表示装置３００の構成について説明する。第３実施形態では、通常モードからキャリブレーションモードに移行する際に、ユーザに操作方法を示すための画像を画像源表示部に表示させるように構成されている。
【００９５】
図２に示すように、第３実施形態による画像表示装置３００では、制御部３０６が設けられている。
【００９６】
ここで、第３実施形態では、図２０に示すように、制御部３０６は、通常モードからキャリブレーションモードに移行する際に、ユーザに操作方法を示すための画像を画像源表示部４に表示させる制御を行うように構成されている。具体的には、制御部３０６は、通常モードからキャリブレーションモードへの移行するためのタッチ検出情報を取得した際（図１６参照）に、画像源表示部４に、ジェスチャー位置（たとえば、後述する説明文を視認しながら特定の動きを行うことが可能な位置など）の表示と、画像の外枠と、ユーザの手指Ｄの特定の動作に伴う動作内容を説明するための分（説明文）とを表示するように構成されている。これにより、光学像Ｂに、ジェスチャー位置の表示と、画像の外枠と、ユーザの手指Ｄの特定の動作に伴う動作内容を説明するための分（説明文）とが表示される。
【００９７】
たとえば、制御部３０６は、画像源表示部４に、画像の外枠を白色などの明るい色などにより表示するように構成されている。また、制御部３０６は、画像源表示部４に、ジェスチャー位置の表示を白色などの明るい色などにより表示するように構成されている。また、制御部３０６は、画像源表示部４に、説明文を、「両手を上下方向に動かすと、光学像が上下方向に動きます。」、「奥へ押すと光学像が小さくなり、手前へ引くと光学像が大きくなります。」、および、「奥または手前に倒しますと光学像の角度が変わります。」などの表示を行うように構成されている。また、第３実施形態による画像表示装置３００のその他の構成は、第１実施形態における画像表示装置１００と同様である。
【００９８】
第３実施形態では、以下のような効果を得ることができる。
【００９９】
第３実施形態では、上記のように、制御部３０６を、通常モードからキャリブレーションモードに移行する際に、キャリブレーションモードにおけるユーザに操作方法を示すための画像（図２０参照）を画像源表示部４に表示させる制御を行うように構成する。これにより、キャリブレーションモードにおけるユーザに操作方法を示すための画像が光学像Ｂとして結像されるので、ユーザに操作方法を示すための画像を視認させることができる。また、第３実施形態による画像表示装置３００のその他の効果は、第１実施形態における画像表示装置１００と同様である。
【０１００】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【０１０１】
また、上記第１〜第３実施形態では、本発明の画像源表示部として、液晶パネルを用いる例を示したが、本発明はこれに限られない。本発明では、画像源表示部として液晶パネル以外の画像源表示部を用いてもよい。たとえば、プロジェクタからの投影光をスクリーンに照射して、投影光が照射されたスクリーンを本発明の画像源表示部として用いてもよい。
【０１０２】
また、上記第１〜第３実施形態では、指示体として、ユーザの手指を用いて、タッチ検出情報および指示体の特定の動きを取得するように構成する例を示したが、本発明はこれに限られない。本発明では、指示体としてユーザの手指以外を用いて、タッチ検出情報および指示体の特定の動きを取得するように構成してもよい。たとえば、ペン型の指示体や、ユーザの腕を用いるように構成してもよい。
【０１０３】
また、上記第１〜第３実施形態では、ユーザの手指の特定の動きに基づいて、光学像が結像される位置の移動と、光学像の大きさの変更との両方とを行うことが可能に構成する例を示したが、本発明はこれに限られない。本発明では、ユーザの手指の特定の動きに基づいて、光学像が結像される位置の移動、または、光学像の大きさの変更の一方を行うように構成してもよい。
【０１０４】
また、上記第１〜第３実施形態では、反射素子集合基板をＹＺ平面上において回動するように構成する例を示したが、本発明はこれに限られない。本発明では、反射素子集合基板をＹＺ平面上以外の平面において回動するように構成してもよい。たとえば、反射素子集合基板をＸＹ平面上の平面において回動するように構成してもよい。
【０１０５】
また、上記第１〜第３実施形態では、画像源表示部および反射素子集合基板を一体的に上下移動するように構成する例を示したが、本発明はこれに限られない。本発明では、画像源表示部と反射素子集合基板とを別々に上下移動させるように構成してもよいし、画像源表示部と反射素子集合基板との一方を画像表示装置本体に固定的に配置してもよい。
【０１０６】
また、上記第１〜第３実施形態では、説明の便宜上、本発明の制御部の処理を処理フローに沿って順番に処理を行うフロー駆動型のフローチャートを用いて説明したが、本発明はこれに限られない。本発明では、制御部の処理動作を、イベントごとに処理を実行するイベント駆動型（イベントドリブン型）の処理により行ってもよい。この場合、完全なイベント駆動型で行ってもよいし、イベント駆動およびフロー駆動を組み合わせて行ってもよい。
【符号の説明】
【０１０７】
１  画像表示装置本体
３  反射素子集合基板（結像部）
４  画像源表示部
５  検出部（指示体検出部）
６、２０６、３０６  制御部
３１  下面（一方の面）
３２  上面（他方の面）
１００、２００、３００  画像表示装置
【図１】
0006394135.tif 000002
【図２】
0006394135.tif 000003
【図３】
0006394135.tif 000004
【図４】
0006394135.tif 000005
【図５】
0006394135.tif 000006
【図６】
0006394135.tif 000007
【図７】
0006394135.tif 000008
【図８】
0006394135.tif 000009
【図９】
0006394135.tif 000010
【図１０】
0006394135.tif 000011
【図１１】
0006394135.tif 000012
【図１２】
0006394135.tif 000013
【図１３】
0006394135.tif 000014
【図１４】
0006394135.tif 000015
【図１５】
0006394135.tif 000016
【図１６】
0006394135.tif 000017
【図１７】
0006394135.tif 000018
【図１８】
0006394135.tif 000019
【図１９】
0006394135.tif 000020
【図２０】
0006394135.tif 000021